(57)【要約】      （修正有）【課題】古くから受け継がれてきた長じゅばんの特性を生かしつつ現代の生活スタイルにも合うデザインを開発するため、半衿の装着が自由自在な半衿付き長じゅばんを提供する。【解決手段】最小限の着付け小物、衿先ひもと後ろひもを長じゅばんにあらかじめ縫い付けることにより、必ず縫製が必要であった半衿には足袋に使用されるこはぜを応用し、長じゅばん衿側に設置したこはぜ通しひもに通すことにより、裁縫道具を使うことなく誰でも短時間で半衿の装着が可能になり従来の課題を解決した。【選択図】図５
0003109313.tif 000002
【実用新案登録請求の範囲】
【請求項１】
和服の長じゅばんにおいて、衿先ひもや後ろひもなど必要最小限の着付け小物をあらかじめ長じゅばんに縫い付けて、他の着付け小物を一切使用せず、１枚で誰でも簡単に美しい着付けが完了し、従来縫製が必要であった半衿にこはぜを縫い付け、こはぜを利用することにより、長じゅばんとの着脱が容易に行えることを特徴とする半衿付き長じゅばん。
【考案の詳細な説明】
【技術分野】
【０００１】  本考案は、半衿の装着が自由自在な半衿付き長じゅばんに関するものである。
【背景技術】
【０００２】  着物姿の基礎になる長じゅばんの美しい着姿を実現すべく、着付け小物の開発や着付け師の養成、着付け教室の普及など、道具面と人材面の双方の努力がなされてきている。
【考案の開示】
【考案が解決しようとする課題】
【０００３】  しかしながら、長じゅばん自体のデザインの検証がほとんどなされておらず、いまだに沢山の着付け用小物を駆使しなければ美しく着付けることが難しく、さらに着付け師の指導なくしては普段着さえも気軽に綺麗に着こなせない上、着用前には半衿の縫製を自分自身で行わねばならず、極めて汚れやすい衿元を着用毎に縫ったり解いたりすることは、忙しい現代の衣服として取り入れることは相当の情熱と努力が必要であり、古くから受け継がれてきた長じゅばんの特性を活かしつつ現代の生活スタイルにも合うデザインの開発が急がれる課題である。
【課題を解決するための手段】
【０００４】  そこで本考案は、最小限の着付け小物、衿先ひもと後ろひもを長じゅばんにあらかじめ縫い付けることにより、長じゅばん一枚だけで気軽に簡単に美しい着姿が誰でも行えるよう工夫し、従来の長じゅばんをデザインと機能性の両面から追求した。また、必ず縫製が必要であった半衿には足袋に使用されるこはぜを応用し、長じゅばん衿側に設置したこはぜ通しひもに通すことにより、裁縫道具を使うことなく誰でも短時間で半衿の装着が可能になり従来の課題を解決した。
【考案の効果】
【０００５】  上述のように、本考案は着付け小物や着付け師の力を借りなくとも自分ひとりで長じゅばんを簡単に美しく着付けることが可能となり、手間と時間とお金と道具が沢山必要という和服の世界に新しい風を吹き込むことにより、今まで着物に縁が薄かった世代へ大きくアピールすることも可能になる。さらに半衿もこはぜで容易に取り付けられ、スカーフやネクタイの感覚でお洒落が楽しめ、生地の選択や細部のデザインの工夫により下着という枠組みから飛び出し、新しい和的ワンピースのようなジャンルが確立され、和洋の垣根を飛び越える新時代の衣服になり得ることも大いに期待できるところである。
【考案を実施するための最良の形態】
【０００６】  まず、裏面に接着芯で補強した半衿の両脇に縫い付けたこはぜ部分を長じゅばん衿側のこはぜ通しひもに通し、長じゅばんの衿に取り付けていき、次に長じゅばんを羽織り、袖に手を通し、衿を打ち合わせ衿先に縫い付けた衿先ひもを長じゅばん衿後部に挟んで縫い付けた後ろひもに通し前で軽く結び、衿の抜き具合などを好みの形に決めて、再度しっかり結び直せば着付けの完了になる。
【実施例】
【０００７】  以下、添付図面に従って、実施例を説明する。図１は請求項１記載の半衿２裏面図である。１８箇所にこはぜ１を縫い付け、長じゅばん衿５を表裏両面からはさみ込み止め付けることになる。生地自体は接着芯３で補強しており、従来のように衿芯を用いる必要がなくなり、シンプルに着付けられ洗濯などのお手入れも単独で楽にこなせる。【０００８】  図２は請求項１記載の半衿２を装着時の形に折った図である。【０００９】  図３は請求項１記載の長じゅばん正面図である。長じゅばん衿５の内側と外側のきわに半衿のこはぜ１と同間隔になるよう細いひもを渡らせ、こはぜ通しひも４とする。長じゅばん衿５を包み込むように半衿２をかぶせ、こはぜ１をこはぜ通しひも４に通せば簡単に半衿を取り付けられ、急ぎの時でもお洒落が楽しめる。長じゅばん衿５は従来腰まであった衿丈を思いきって胸位置まで短く仕立て、その衿先に衿先ひも６を縫い付けることにより、今までは腰ひもと胸ひもの２箇所で衿元を整えていたものをこの衿先ひも６で簡略化することに成功した。【００１０】  図４は請求項１記載の半衿付き長じゅばん背面図である。先ほどの衿先ひも６を長じゅばん衿後部に挟んで縫い付けた後ろひも７に通し前で結ぶと着付けが完成する。この時衿先ひも６を強く引っ張ると衿が後ろへ大きく抜ける。力加減で好みの衿の形に整えられ、特別な道具も必要ない。【００１１】  図５は請求項１記載の半衿付き長じゅばん完成図である。衿先ひも６はたっぷりと太めに仕立てることにより、ひもとしての機能性にアクセントのリボンとしの装飾性も兼ね、機能性だけに偏らず、ワンピースのごとく美しい着姿をも合わせ持つデザインにした。袖８やたて衿９も角に大きく丸みを付けて、デザイン性を高め、裾ひも１０は、ワンピースのように外出着として着用する際、裾がはだけぬよう取り付け、この部分も機能性とデザインとしてのアクセントを重要視した。後ろひも７、衿先ひも６、裾ひも１０をすべて長じゅばんと同じ布で仕立てることにより、さらにトータルなデザイン性に富み、下着としての長じゅばんの枠から離れ、ひとつの単独の衣装としても充分活用できる新しい長じゅばんのスタイルを確立した。
【産業上の利用可能性】
【００１２】  本考案は、着物を着付ける上で大変重要な役割を果たす長じゅばん自体のデザインを工夫することにより着付けを習わずまた特別な道具を使用することなくひとりで着付けを完了でき、半衿の縫製の煩わしさからも解放し、今まで着物を敬遠していた世代や浴衣の季節のみ着物に親しんでいた若い世代に大きく広がる可能性があり、さらに現代の洋服の世界に於ける下着、水着、ブラウス等の境界線がなくなりつつあることから鑑みて、着物の世界に於いても、今まで下着として地味な存在であった長じゅばんをワンピースのような鮮やかな柄を選ぶことで、一躍表舞台に飛躍させる可能性さえ秘めている新しい時代の一枚である。和洋どちらの世界にも順応できる半衿付き長じゅばんは従来の呉服売り場のみならずファッション業界全般での広がりも大きく販路の拡大が期待されるものである。
【図面の簡単な説明】
【００１３】
【図１】請求項１の半衿の裏面図
【図２】請求項１の半衿の装着前の図
【図３】請求項１の長じゅばん正面図
【図４】請求項１の長じゅばん背面図
【図５】請求項１の半衿付き長じゅばん完成図
【符号の説明】
【００１４】  １    こはぜ
２    半衿
３    接着芯
４    こはぜ通しひも
５    長じゅばん衿
６    衿先ひも
７    後ろひも
８    袖
９    たて衿
１０  裾ひも
【図１】
0003109313.tif 000003
【図２】
0003109313.tif 000004
【図３】
0003109313.tif 000005
【図４】
0003109313.tif 000006
【図５】
0003109313.tif 000007
【手続補正書】
【提出日】平成16年12月13日(2004.12.13)
【手続補正１】
【補正対象書類名】実用新案登録請求の範囲
【補正対象項目名】請求項１
【補正方法】変更
【補正の内容】
【請求項１】
和服の長じゅばんにおいて、長じゅばん衿後部に挟んで縫い付けた後ろひもに、胸位置まで短くした長じゅばん衿の先に付けた衿先ひもを通し前で結ぶことにより誰でも簡単に美しく着付けられる上、裏面を接着芯で補強した半衿の両脇に１８箇所こはぜを縫い付け、長じゅばん衿の内側と外側のきわに半衿のこはぜと同間隔で１８箇所細いひもを渡らせ、半衿側のこはぜを長じゅばん衿側のひもに通すことにより半衿と長じゅばん衿との着脱が容易に行えることを特徴とする半衿付き長じゅばん。